(57)【要約】【課題】  建物外壁に簡易且つ確実に金属製の外装下地を設置することによって外装工事の施工性を向上できるようにする。【解決手段】  複数の縦レール２に多数のユニット形成用横レール１０を載架して形成した金属製格子状のレールユニット１と，長手方向両端をユニット形成用横レール１０に連結できるようにした金属製ブリッジ用横レール１１とを用いて，縦レール２を柱３０にネジ２２止めすることによってレールユニット１を間隔を空けて建物外壁に固定し，レールユニット１間の間隔にブリッジ用横レール１１を配置して，レールユニット１とブリッジ用横レール１０の交互配置によって金属製外装下地Ａを形成する。レールユニット１の幅を柱３０間の外法寸法とすれば，外装下地Ａを芯々寸法によったときの余剰寸法部分が生じないので該部分に対する外装下地の設置を不要化できる。【選択図】        図３
2006057326.tif 000002
【特許請求の範囲】
【請求項１】
格子状のレールユニットを形成する金属製の縦レールと該縦レールの上下方向平行に配置する外装材支持用金属製のユニット形成用横レールと，該ユニット形成用横レールをそれぞれ連結するように上記レールユニットと建物幅方向交互に配置する同じく外装材支持用金属製のブリッジ用横レールとを備えてなることを特徴とする金属製外装下地。
【請求項２】
上記ユニット形成用横レールをそれぞれ延長するように上記レールユニットの幅調整用にして外装材支持用金属製の延長用横レールを追加的に備えてなることを特徴とする請求項１に記載の金属製外装下地。
【請求項３】
上記縦レールが上下に所定ピッチ多数のブラケットを備え且つ上記ユニット形成用横レールが該ブラケット受入係合用の係合透孔を備え，縦レールのブラケットにユニット形成用横レールの係合透孔上縁を支持することによってレールユニットを形成自在としてなることを特徴とする請求項１又は２に記載の金属製外装下地。
【請求項４】
上記ブリッジ用横レールを，上記ユニット形成用横レールの係合透孔上縁を支持する縦レールのブラケットを共用してユニット形成用横レール係合透孔の外側において該ブラケットに支持することによってユニット形成用横レールを連結自在としてなることを特徴とする請求項３に記載の金属製外装下地。
【請求項５】
上記延長用横レールを，上記ユニット形成用横レールの係合透孔上縁を支持する縦レールのブラケットを共用してユニット形成用横レール係合透孔の外側において該ブラケットに支持することによってユニット形成用横レールを延長自在としてなることを特徴とする請求項３又は４に記載の金属製外装下地。
【請求項６】
上記縦レールのブラケットを，縦レールの底板を切り起し加工して設置した断面略Ｌ字状に形成するとともに該ブラケットに内方下向きに係止片を突出して形成し，該係止片を上記ユニット形成用横レールに配置した係止孔にスナップイン係止自在とし且つ縦レールの底板と係止片間にブリッジ用横レールに配置した係合透孔上縁をスライド挟持自在として上記ブラケットを共用して該ブリッジ用横レールをブラケットに支持してなることを特徴とする請求項４又は５に記載の金属製外装下地。
【請求項７】
上記縦レールの底面と係止片間に上記延長用横レールに配置した係合透孔上縁をスライド挟持自在として上記ブラケットを共用して該延長用横レールをブラケットに支持してなることを特徴とする請求項５又は６に記載の金属製外装下地。
【請求項８】
金属製の縦レールと該縦レールの上下方向平行に外装材支持用金属製のユニット形成用横レールを配置して格子状定尺に形成して建物の断熱材外側に該断熱材を介して躯体に固定したレールユニットと，該レールユニットの上記ユニット形成用横レールを連結する同じく外装材支持用金属製のブリッジ用横レールとを建物幅方向交互に配置することによって設置した金属製外装下地と，該金属製外装下地の上記ユニット形成用レール及びブリッジ用横レールに設置した外装材とを備えてなることを特徴とする金属製外装下地を用いた外断熱建物の外壁。
【請求項９】
上記ユニット形成用横レールをそれぞれ延長するレールユニットの幅調整用にして外装材支持用金属製の延長用横レールを追加的に窓，コーナー等の端部に用いて，該延長用横レールに追加的に設置した外装材を備えてなることを特徴とする請求項８に記載の金属製外装下地を用いた外断熱建物の外壁。
【発明の詳細な説明】
【技術分野】
【０００１】
本発明は建物に金属製外装下地及びこれを用いた外断熱建物の外壁に関する。
【背景技術】
【０００２】
この種金属製外装下地として，本発明者は，金属製の縦レール（縦胴縁といってもよい）と，該縦レールの上下方向平行に配置する外装材支持用金属製の横レール（横胴縁といってもよい）とによって格子状としたものを提案済みであり，これによれば，建物の柱（間柱を含む。以下同じ）毎の位置に合せて縦レールをネジ，スクリュー釘等によって固定し，該縦レールの上下方向に配置したブラケットに横レールの係合透孔上縁を支持するように，例えば工場乃至現場で格子状のユニットを形成し，これを建物外壁の縦方向及び横方向に並列配置し，然る後にタイル，サイディング等外装材を横レールに設置して外壁を形成するように用いるものとされている。
【０００３】
【特許文献１】特願２００４−１２８３０７号
【発明の開示】
【発明が解決しようとする課題】
【０００４】
この場合，外装工事を比較的容易にして確実になし得て，優れた下地強度を確保し，外装材を安定支持する外装下地とすることができ，例えば外断熱建物の外壁に用いることによって，縦レールの厚さ（出幅）の通気空間を形成するとともに建物躯体，例えば柱からの出幅を従前のものと変えないで外断熱層を厚くし建物の断熱性を大きく向上し得る等のメリットを得られるが，例えば上記格子状のユニットを形成したとき，隣接するユニットの各端部における縦レールを柱に対してネジ，スクリュー釘等によって固定する必要が生じるから，ユニットの幅を柱の芯々寸法とし，その各縦レールを柱の芯位置で突合せるように固定する必要が生じるところ，該芯々寸法としたユニットを用いると，建物の等間隔に設置された，特に幅方向最端部に位置する柱に対してユニット端部が芯位置に位置する結果，該柱幅の１／２の余剰幅が残ることになり，該余剰幅の部分にこれをカバーするために端部専用の外装材下地を別途設置する必要が残っており，この点の改良が望まれる。
【０００５】
本発明はかかる事情に鑑みてなされたもので，その解決課題とするところは，柱の芯々寸法の制約を受けることなく格子状のユニットを形成することによって最端部の柱においても余剰幅を生じることなくこれをカバーし得るようにして，該余剰幅部分に対する外装下地の設置を不要化して，外装工事の施工性を向上し得るようにした金属製外装下地を提供するにあり，また該金属製外装下地を用いた外断熱建物の外壁を提供するにある。
【課題を解決するための手段】
【０００６】
上記課題に沿って本発明は，縦レールと外装材を支持する横レールによる格子状のレールユニットと，該レールユニット間にその横レールをそれぞれ連結し同じく外装材を支持するブリッジ用横レールとを用いて，該格子状のレールユニットとブリッジ用横レールとを建物横方向に交互に配置することによって建物幅方向に一連一体の外装下地を形成し得るようにするとともにレールユニットの寸法を芯々寸法とする必要性を解消し，その寸法設定を柱間の外法寸法とし得るようにして余剰幅を生じることなくこれをカバーできるようにして余剰幅に対する外装下地の設置を不要化し得るようにしたものであって，即ち請求項１に記載の発明を，格子状のレールユニットを形成する金属製の縦レールと該縦レールの上下方向平行に配置する外装材支持用金属製のユニット形成用横レールと，該ユニット形成用横レールをそれぞれ連結するように上記レールユニットと横方向交互に配置する同じく外装材支持用金属製のブリッジ用横レールとを備えてなることを特徴とする金属製外装下地としたものである。
【０００７】
請求項２に記載の発明は，上記に加えて，外装下地を上記縦レール，ユニット形成用横レール及びブリッジ用横レールとともに窓，コーナー等にあってレールユニット横幅より短尺寸法部分をカバーして該部分にも一連一体の外装下地を延長して外装材を設置し得るものとするように，これを，上記ユニット形成用横レールをそれぞれ延長するように上記レールユニットの幅調整用にして外装材支持用金属製の延長用横レールを追加的に備えてなることを特徴とする請求項１に記載の金属製外装下地としたものである。
【０００８】
請求項３に記載の発明は，同じく上記に加えて，上記レールユニットを可及的簡易に形成し得るものとするように，これを，上記縦レールが上下に所定ピッチ多数のブラケットを備え且つ上記ユニット形成用横レールが該ブラケット受入係合用の係合透孔を備え，縦レールのブラケットにユニット形成用横レールの係合透孔上縁を支持することによってレールユニットを形成自在としてなることを特徴とする請求項１又は２に記載の金属製外装下地としたものである。
【０００９】
請求項４に記載の発明は，同じく上記に加えて，上記縦レールのブラケットを共用してブリッジ用横レールを連結し得るものとするように，これを，上記ブリッジ用横レールを，上記ユニット形成用横レールの係合透孔上縁を支持する縦レールのブラケットを共用してユニット形成用横レール係合透孔の外側において該ブラケットに支持することによってユニット形成用横レールを連結自在としてなることを特徴とする請求項３に記載の金属製外装下地としたものである。
【００１０】
請求項５に記載の発明は，同じく上記に加えて，更に上記縦レールのブラケットを共用して上記延長用横レールをを連結し得るものとするように，これを，上記延長用横レールを，上記ユニット形成用横レールの係合透孔上縁を支持する縦レールのブラケットを共用してユニット形成用横レール係合透孔の外側において該ブラケットに支持することによってユニット形成用横レールを延長自在としてなることを特徴とする請求項３又は４に記載の金属製外装下地としたものである。
【００１１】
請求項６及び請求項７に記載の発明は，同じく上記に加えて，それぞれ上記縦レールのブラケットを共用したユニット形成用横レールとブリッジ用横レール又は延長用横レールの支持を簡易な構造により確実になし得る好ましい構造のものとするように，請求項６に記載の発明を，上記縦レールのブラケットを，縦レールの底板を切り起し加工して設置した断面略Ｌ字状に形成するとともに該ブラケットに内方下向きに係止片を突出して形成し，該係止片を上記ユニット形成用横レールに配置した係止孔にスナップイン係止自在とし且つ縦レールの底板と係止片間にブリッジ用横レールに配置した係合透孔上縁をスライド挟持自在として上記ブラケットを共用して該ブリッジ用横レールをブラケットに支持してなることを特徴とする請求項４又は５に記載の金属製外装下地とし，請求項７に記載の発明を，上記縦レールの底面と係止片間に上記延長用横レールに配置した係合透孔上縁をスライド挟持自在として上記ブラケットを共用して該延長用横レールをブラケットに支持してなることを特徴とする請求項５又は６に記載の金属製外装下地としたものである。
【００１２】
請求項８及び請求項９に記載の発明は，上記金属製外装下地を用いた外断熱建物の外壁を提供するように，請求項８に記載の発明を，金属製の縦レールと該縦レールの上下方向平行に外装材支持用金属製のユニット形成用横レールを配置して格子状定尺に形成して建物の断熱材外側に該断熱材を介して躯体に固定したレールユニットと，該レールユニットの上記ユニット形成用横レールを連結する同じく外装材支持用金属製のブリッジ用横レールとを建物幅方向交互に配置することによって設置した金属製外装下地と，該金属製外装下地の上記ユニット形成用横レール及びブリッジ用横レールに設置した外装材とを備えてなることを特徴とする金属製外装下地を用いた外断熱建物の外壁とし，請求項９に記載の発明を，上記ユニット形成用横レールをそれぞれ延長するレールユニットの幅調整用にして外装材支持用金属製の延長用横レールを追加的に窓，コーナー等の端部に用いて，該延長用横レールに追加的に設置した外装材を備えてなることを特徴とする請求項８に記載の金属製外装下地を用いた外断熱建物の外壁としたものである。
【００１３】
本発明はこれらをそれぞれ発明の要旨として上記課題解決の手段としたものである。
【発明の効果】
【００１４】
本発明は以上のとおりに構成したから，請求項１に記載の発明は，縦レールと外装材を支持する横レールによる格子状のレールユニットと，該レールユニット間にその横レールをそれぞれ連結し同じく外装材を支持するブリッジ用横レールとを用いて，該格子状のレールユニットとブリッジ用横レールとを建物横方向に交互に配置することによって建物幅方向に一連一体の外装下地を形成し得るようにするとともにレールユニットの寸法を芯々寸法とする必要性を解消し，その寸法設定を柱間の外法寸法とし得るようにして余剰幅を生じることなくこれをカバーできるようにして余剰幅に対する外装下地の設置を不要化して，外装工事の施工性を向上し得るようにした金属製外装下地を提供することができる。
【００１５】
請求項２に記載の発明は，上記に加えて，外装下地を上記縦レール，ユニット形成用横レール及びブリッジ用横レールとともに窓，コーナー等にあってレールユニット横幅より短尺寸法部分をカバーして該部分にも一連一体の外装下地を延長して外装材を設置し得るものとすることができる。
【００１６】
請求項３に記載の発明は，同じく上記に加えて，上記レールユニットを可及的簡易に形成することができる。
【００１７】
請求項４に記載の発明は，同じく上記に加えて，上記縦レールのブラケットを共用してブリッジ用横レールを連結し得るものとすることができる。
【００１８】
請求項５に記載の発明は，同じく上記に加えて，更に上記縦レールのブラケットを共用して上記延長用横レールを連結し得るものとすることができる。
【００１９】
請求項６及び請求項７に記載の発明は，同じく上記に加えて，それぞれ上記縦レールのブラケットを共用したユニット形成用横レールとブリッジ用横レール又は延長用横レールの支持を簡易な構造により確実になし得る好ましい構造のものとすることができる。
【００２０】
請求項８及び請求項９に記載の発明は，それぞれ上記金属製外装下地を用いた外断熱建物の外壁を提供することができる。
【発明を実施するための最良の形態】
【００２１】
以下図面の例に基づいて本発明を更に具体的に説明すれば，Ａは，例えば木造軸組構造の建物に外装を行なうために使用する金属製外装下地であり，該外装下地Ａは，金属製の縦レール２と，金属製のユニット形成用横レール１０と，金属製のブリッジ用横レール１１とを備え，更に本例にあっては金属製の延長用横レール１２を備えたものとしてある。
【００２２】
上記縦レール２とユニット形成用横レール１０は，縦レール２の上下方向平行にユニット形成用横レール１０を配置することによって格子状のレールユニット１を形成するものとしてあり，ブリッジ用横レール１１は上記ユニット形成用横レール１０をそれぞれ連結するように上記レールユニット１と建物幅方向交互に配置するものとし，延長用横レール１２は，上記ユニット形成用横レール１０をそれぞれ延長するように上記レールユニット１の幅調整用のものとしてあり，またこれらユニット形成用横レール１０，ブリッジ用横レール１１及び延長用横レール１２は，それぞれ外装材２３支持用のものとしてある。
【００２３】
本例にあって縦レール２，ユニット形成用横レール１０及びブリッジ用横レール１１，更に延長用横レール１２は，金属板，例えば亜鉛鍍金鋼板やそのガルバニウム鋼板等の耐食性に優れた金属板，特に鋼板を用いて，これにロールフォーミング，プレス成形等の塑性加工を施すことによって形成してあり，縦レール２，ユニット形成用横レール１０及びブリッジ用横レール１１は，それぞれ適宜長さに定尺のものとしてあり，縦レール２は，例えば１５ｃｍ程度の所定ピッチで建物躯体，本例にあっては柱３０に固定するネジ又はスクリュー釘２２を通す透孔４を透設した底板３と，該底板３の幅方向左右両端を外側に向けて低突出するように起立配置した後述の通気空間形成用の起立リブ５と，該起立リブ５の長手方向両端同一位置に配置したユニット形成用横レール１０を受止め載置する横レール受座６とを備えて形成し，ユニット形成用横レール１０及びブリッジ用横レール１１，更に延長用横レール１２は，それぞれ底板１３と，該底板１３の幅方向上下両端を上端において上向き傾斜の，下端において水平の連結条１４を介してそれぞれ垂直上向きの外装材支持条１５とを備えたものとしてあり，このとき該ブリッジ用横レール１１及び延長用横レール１２は，その断面形状を略同一とするもその底板１３及び連結条１４を僅かに小さく設定することによって，それぞれ上記ユニット形成用横レール１０に対して外側からの嵌挿と該嵌挿状態でのスライドをなし得るようにしてある。
【００２４】
このとき本例の縦レール２は，例えば４５〜５０cm程度としてあり，またユニット形成用横レール１０は１．５〜２m程度の長さとして，軸組構造の旧尺乃至メートルのモジュールに従って設置した複数の柱，例えば５本分の柱３０の外法寸法に一致するように設定してあり，このときブリッジ用横レール１１は４５〜５０ｃｍ程度の長さとして，同じく軸組構造のモジュールに従って設置した２本分の柱３０の外法寸法乃至該外法寸法程度にし２本の柱３０間に跨る寸法に設定してあり，一方延長用横レール１２は上記ユニット形成用横レール１０より短く，例えば柱３０と窓３１間のように上記モジュールを外れた柱３０間寸法以下の所定長さのものとしてある。
【００２５】
本例にあって縦レール２は，これが上下に所定ピッチ多数のブラケット７を備え且つ上記ユニット形成用横レール１０が該ブラケット７受入係合用の係合透孔１６を備え，縦レール２のブラケット７にユニット形成用横レール１０の係合透孔１６上縁を支持することによってレールユニット１を形成自在としてあり，また上記ブリッジ用横レール１１，更に本例にあっては延長用横レール１２は，それぞれ上記ユニット形成用横レール１０の係合透孔１６上縁を支持する縦レール２のブラケット７を共用してユニット形成用横レール１０係合透孔１６の外側において該ブラケット７に支持することによってユニット形成用横レール１０を連結自在とし，またユニット形成用横レール１０を延長自在としてある。
【００２６】
このとき本例のブラケット７は，これを，縦レール２の底板３を切り起し加工して設置した断面略Ｌ字状に形成するとともに該ブラケット７に内方下向きに係止片９を突出して形成し，該係止片９を上記ユニット形成用横レール１０に配置した係止孔１７にスナップイン係止自在とし且つ縦レール２の底板１３と係止片９間にブリッジ用横レール１１に配置した係合透孔１６上縁をスライド挟持自在として上記ブラケット７を共用して該ブリッジ用横レール１１をブラケット７に支持したものとしてあり，更に本例にあっては延長用横レール１２についても該ブリッジ用横レール１１におけると同様に底板１３と係止片７間に該延長用横レール１２に配置した係合透孔１６上縁をスライド挟持自在としてその支持を行なったものとしてある。
【００２７】
即ちブラケット７は，縦レール２の底板１３にプレスの切り起し加工を施すことによって後加工してその設置を行い，底板１３の外側に向けて起立リブ５間に上向きの断面Ｌ字状をなすように配置し，本例にあってはその上端を外側に向けて上向き傾斜して，上記各横レール  の係合透孔１６上縁を受入案内する傾斜受部８を配置したものとしてあり，該ブラケット７は，上記ネジ又はスクリュー釘２２を通す底板３に透設した多数の透孔４間に，例えば７〜８ｃｍのピッチをなすように各上下２つのブラケット７を配置したものとしてある。また係止片９は，更にブラケット７に同様な切欠加工を施すことによって内方下向きに突出して形成した舌片状のものとしてあり，本例にあって該係止片９は，これをブラケット７の上記傾斜受部８下端から数ｍｍ程度を内方下向きに突出したものとしてある。
【００２８】
ユニット形成用横レール１０の係合透孔１６は，該横レール１０の底板１３をその長手方向両端部で，上記ブラケット７を受入可能な寸法及び形状にその底板に切欠き加工を施すことによって透設した，例えば矩形のものとしてあり，また本例にあっては，該係合透孔１６の上部に，例えば水平細長の係止孔１７を透設したものとしてある。このとき係止孔１７は，係合透孔１６にブラケット７を挿通して，例えば下方にユニット形成用横レール１０を横レール受座６に載置するように押下げることによって該ブラケット７の下面が係合透孔１６の上縁に対接する寸前に係止片１７を受入れることによって該係止片１７とスナップイン係止をするように，該係合透孔１６との位置関係を規制してその透設を行なったものとしてある。
【００２９】
本例にあってブリッジ用横レール１１は，ブラケット７を受入れた状態でスライドをなし得るものとするとともに該スライドによってブラケット７底板３と係止片７間の係合透孔１６上縁の挟持を行なってブラケット７を共用した支持をなし得るように，その底板１３の長手方向両端部に切欠き加工を施すことによって配置してあり，本例にあって該ブリッジ用横レール１１は，ユニット形成用横レール１０への嵌挿によってそのブラケット７に対する位置が規制されるのを利用し，該位置規制の状態でブラケット７を受入れて長手方向一方にスライドすることによってその係合透孔１６上縁の挟持を行なうように，ブラケット７の受入孔１８と該係合透孔１６とを連続するように配置してあり，受入孔１８は該ブリッジ用横レール１１の長手方向両端部に縦レール２位置に合せて長手方向同一側にブラケット７を受入可能な寸法と形状に，また係合透孔１６は上記位置規制状態で該受入孔１８に受入れたブラケット７をスライドしてその係止片９を上縁に対接可能とする寸法と形状に上記受入孔１８の長手方向同一の片側にそれぞれ配置し，このとき該係合透孔１６と受入孔１８とは底板１３の切欠き加工によって透設した長手方向に受入孔１８を高く，係合透孔１６を低い形態の異高にして一連に連続する異高連続孔としてあり，このとき長手方向両端部の一方又は双方，本例においては一方の受入孔１８には該受入孔１８に底板１３を延設するように突出した舌片１９を配置して，これをコ字状をなす形状に形成してあり，また係合透孔１６はこれを受入孔１８と下縁位置を同一として上縁位置を低くして上記異高として受入孔１８側を開放した矩形の形状に形成してある。
【００３０】
また本例にあって延長用横レール１２は，同じくユニット形成用横レール１０への嵌挿によってそのブラケット７に対する位置が規制されるのを利用し，該位置規制の状態でブラケット７を受入れて長手方向一方にスライドすることによってその係合透孔１６上縁の挟持を行なうように，同様にブラケット７の受入孔１８と係合透孔１６とを連続して，底板１３の長手方向両端部に切欠き加工を施すことによって配置してあり，本例にあっては長手方向両端部にこれらを配置することによってその左右勝手をなくしてユニット形成用横レール１０の長手方向双方端部のいずれにおいてもそのブラケット７による支持を可能としてあり，このため該受入孔１８を長手方向両側にブラケット７を受入可能な寸法と形状に，また係合透孔１６を，同じく上記位置規制状態で受入れたブラケット７をスライドしてその係止片９を上縁に対接可能とする寸法と形状に両側の受入孔１８間の中間位置に配置し，このとき係合透孔１６と受入孔１８とは同様に底板１３の切欠き加工によって透設した長手方向に両側の受入孔１８を高く，中間の係合透孔１６を低い形態の同じく異高にして一連に連続する異高連続孔としてあり，このとき両側の受入孔１８にはそれぞれその下方から底板を延設するように残存した舌片１９を配置して，該受入孔１８を倒コ字状をなす形状としてあり，また係合透孔１６は下縁位置を該舌片１９の中間としその上縁位置を受入孔１８より低くして同じく両側の受入孔１８側を開放した矩形の形状に形成してある。
【００３１】
以上のように構成した縦レール２とユニット形成用横レール１０は，工場乃至現場において上記複数の縦レール２に多数のユニット形成用横レール１０を配置して，格子状定尺の金属製のレールユニット１を形成し，該レールユニット１と同じく金属製のブリッジ用横レール１１とを建物幅方向交互に配置することによって金属製外装下地Ａを建物壁面に設置し，該金属製外装下地Ａの上記ユニット形成用横レール１０及びブリッジ用横レール１１に，タイル，サイディング等適宜の外装材２３を設置して建物の外壁を形成すればよく，このとき本例にあっては建物の外断熱の外壁を形成するように，該外装下地Ａを図示省略の断熱材の外側に配置して外装材２３を設置するようにしてあり，このため本例のレールユニット１は，これを建物の断熱材外側に該断熱材を介して柱３０に固定したものとしてある。
【００３２】
本例のレールユニット１は，縦レール２の長さを上記４５〜５０cm程度，ユニット形成用横レール１０の長さを１．５〜２m程度としたことによって，例えば５本の柱３０分の幅を有するから，縦レール２を５本用いて，これに上記７〜８ｃｍピッチに，例えば５〜６本のユニット形成用横レール１０を用いて構成するものとしてあり，該レールユニット１の形成は，所定本数を並列した縦レール２の各ブラケット７にユニット形成用横レール１０を載架してその受入係合用の係合透孔１６にブラケット７を受入れ，該横レール１０をそれぞれ上記縦レールの横レール受座６に載置するように下方に押下げて，その係合透孔１６の上縁をブラケット７によって支持し，同時にその係止孔１７に内方下向きの係止片９をスナップイン係止するように行なえばよい。このときレールユニット１は，ユニット形成用横レール１０の長さを上記１．５〜２ｍ程度にして軸組構造のモジュールに従って設置された複数の柱３０間の外法寸法に設定してあることによって，同じく該モジュールによる５本の柱３０の外法寸法の幅のものとなり，従ってモジュールに従って設定された建物の外壁に余剰幅を生じることなく壁面をカバーし得るものとなる。
【００３３】
本例のレールユニット１は，例えば建物壁面をなす端部側から５本の柱３０に対して縦レール２がそれぞれ対面するように上下方向に配置し，各柱３０に各縦レール２をネジ又はスクリュー釘２２によって固定し，５本目と６本目の柱３０間をブリッジ用横レール１１の設置による連結部分として開放し，建物壁面の６本目から更に５本の柱３０に対して順次同様に固定して配置し，その間の，上記開放した連結部分の５本目と６本目の柱３０間においてブリッジ用横レール１１を配置し該ブリッジ用横レール１１によって上下にそれぞれユニット形成用横レール１０を連結すればよい。このときブリッジ用横レール１１は，その長さを上記４５〜５０ｃｍ程度としてあるから，レールユニット１間にあって隣接する柱３０間をカバーする。従ってレールユニット１とともに該ブリッジ用横レール１１を使用することによって建物壁面には一連一体とされた金属製外装下地Ａを形成し，該建物壁面の全面をカバーするに至る。
【００３４】
縦レール２のネジ又はスクリュー釘２２による固定は，縦レール２の多数の透孔４毎にネジ又はスクリュー釘２２を通して柱３０に対してその上下方向多数箇所で行うものとし，これによって外装材２３の荷重を受けるレールユニット１を強固に建物躯体の柱３０に対して固定することができ，また本例の該固定は，各透孔４位置に，例えば硬質樹脂によって断面円弧状とすることによって弾発性を付与したファスナー２１をあてがい，該ファスナー２１を介して柱３０に対してネジ又はスクリュー釘２２を螺装することによって行なってあり，これによってファスナー２１が縦レール２の上下方向多数の固定箇所において断熱材を強圧し，該断熱材を柱３０に密着させる結果，外断熱による優れた断熱性を確保し得るようにしてある。
【００３５】
ユニット形成用横レール１０に対するブリッジ用横レール１１の連結は，レールユニット１のユニット形成用横レール１０間にその本数に合せた数のブリッジ用横レール１１を架設状に載架するようにして，上記縦レール２のブラケット７を共用した支持を行えばよく，本例にあってはユニット形成用横レール１０の端部にブリッジ用横レール１１の両端を正面側から押圧するように嵌挿するとともにその受入孔１６にブラケット７を受入れ，ブラケット７が係合透孔１６側に移動するようにブリッジ用横レール１１をスライドして，係止片９によって係合透孔１６上縁を挟持するようにすればよく，このとき該ブラケット７にはユニット形成用横レール１０が支持されているから，該係止片９による挟持は，ユニット形成用横レール１０の底板１３を介した縦レール２の底板３との間で強圧的に確実になされるに至る。このとき本例における一方の受入孔１８は舌片１９を備えているから，ブラケット７は該舌片１９を押圧して受入孔１８に入るとともにブラケット７がスライドによって係合透孔１６に至ることによって舌片１９が弾発的に復帰してブラケット７の一方側端に対するストッパーとなり，従って建物の振動等によるブリッジ用横レール１１の移動が確実に抑止されて，該ブリッジ用横レール１１を常時定位置に保持することができる。
【００３６】
軸組構造のモジュールに従う外壁は，上記レールユニット１とブリッジ用横レール１０との外装下地Ａによって壁面をカバーし得るが，例えば壁面に窓３１を設けたときのように，軸組構造のモジュールを維持できず，これ以下の幅寸法による余剰部分が生じるときには，該部分にも外装材２３設置のために外装下地を形成することが必要となるから，例外的に生じる該余剰部分に対しては延長用横レール１２をレールユニット１のユニット形成用横レール１０に設置して該横レール１０を延長してその外装材２３設置を可能とするようにしてある。
【００３７】
ユニット形成用横レール１０に対する該延長用横レール１２による延長は，レールユニット１のユニット形成用横レール１０の窓３１側端部に，窓３１の高さに応じた本数の延長用横レール１２をそれぞれ片持ち状に設置するように，上記縦レール２のブラケット７を共用した支持を行えばよく，本例にあっては長手方向一方の受入孔１８からブラケット７を受入れ，同様に延長用横レール１２を窓３１側にスライドして，同じく係止片７によって係合透孔１６上縁を挟持するようにすればよい。このときも同様に係止片７による挟持は，ユニット形成用横レール１０の底板１３を介した縦レール２の底板３との間で強圧的に確実になされるに至る。このとき本例の延長用横レール１２も舌片１９を備えているから，ブラケット７は舌片１９を押圧して受入孔１８に入り，該ブラケット７が係合透孔１６に至って該舌片１９が弾発的に復帰して同じくブラケット７側端のストッパーとなり，同様に該延長用横レール１２を常時定位置に保持することができる。
【００３８】
外装材２３は，これらレールユニット１，ブリッジ用横レール１１，必要あるときに使用する延長用横レール１２の上下に配置した外装材支持条１５に，例えば外装材２３背面に配置した係合部２４をそれぞれ引掛係合するとともにそれぞれ各横レール１０，１１又は１２に対して接着することによってその設置を行えばよい。
【００３９】
従って本例のレールユニット１とブリッジ用横レール１１を交互に配置することによって，建物の壁面を全面的にカバーして余剰幅部分の金属製外装下地Ａを自ずと形成することができ，建物の外装工事を可及的簡易且つ確実になし得るものとすることができ，また例外的に窓３１等によりモジュール以下の余剰部分が生じるときには，必要に応じて延長用横レール１２を配置することによって該部分をも容易にカバーすることができる。
【００４０】
また本例の金属製外装下地Ａは断熱材２３を介してその外側に設置して外断熱の外壁を形成することが可能であり，このとき上記縦レール２に起立リブ５を設置したことによって縦レール２間には該起立リブ５の高さに応じた奥行の狭小化した通気空間が自ずと形成されるから，その分断熱材２３を厚くして更に外断熱の断熱性を向上することができる。
【００４１】
図中２０は，本例にあってブリッジ用横レール１１の底板１３に透設し該ブリッジ用横レール１１のスライド挟持を容易化するように工具や冶具を挿入引掛して一方に引寄せスライドをなし得るようにしたスライド孔を示す。
【００４２】
図示した例は以上のとおりとしたが，ユニット形成用横レール乃至これによるレールユニットの幅を，枠組壁構造，ＲＣ構造等，軸組構造以外のそれぞれ採用したモジュールに合わせて適宜の幅に設定して壁面をカバーするようにすること，この場合縦レールの固定をスタッド，コンクリート面等の柱以外の構造躯体とすること，外装下地を断熱材を介することなく上記構造躯体に設置すること等を含めて，本発明の実施に当たって，外装下地，レールユニット，その縦レール，ユニット形成用横レール，ブリッジ用横レール，必要に応じて用いる延長用横レール，縦レールのブラケット，係止片，各横レールの受入係合用係合透孔等の各具体的形状，構造，材質，これらの関係，これらに対する付加等は，上記発明の要旨に反しない限り，様々な形態のものとすることができる。
【図面の簡単な説明】
【００４３】
【図１】建物外壁の一部切欠き斜視図である。
【図２】レールユニットの配置状態を示す正面図である。
【図３】レールユニットとブリッジ用レールの関係を示す正面図である。
【図４】ユニット形成用横レールとブリッジ用横レールの関係を示す正面図である。
【図５】ユニット形成用横レールにブリッジ用横レールを設置した状態を示す正面図である。
【図６】縦レールに対してユニット形成用横レールを設置する状態を示す斜視図である。
【図７】ユニット形成用横レールとブリッジ用横レールの関係を示す斜視図である。
【図８】レールユニットに外装材を設置した状態を示す縦断面図である。
【図９】縦レールにおけるブラケット部分の拡大正面図である。
【図１０】ユニット形成用横レールの係合透孔と係止孔部分の拡大正面図である。
【図１１】ブリッジ用横レールの正面図である。
【図１２】窓部分に延長用横レールを設置した状態を示す正面図である。
【図１３】ユニット形成用横レールと延長用横レールの関係を示す斜視図である。
【図１４】延長用横レールの正面図である。
【符号の説明】
【００４４】
Ａ  外装下地
１  レールユニット
２  縦レール
７  ブラケット
９  係止片
１０  ユニット形成用横レール
１１  ブリッジ用横レール
１２  延長用横レール
１５  外装材支持条
１６  係合透孔
１７  係止孔
２３  外装材
３０  柱
【図１】
2006057326.tif 000003
【図２】
2006057326.tif 000004
【図３】
2006057326.tif 000005
【図４】
2006057326.tif 000006
【図５】
2006057326.tif 000007
【図６】
2006057326.tif 000008
【図７】
2006057326.tif 000009
【図８】
2006057326.tif 000010
【図９】
2006057326.tif 000011
【図１０】
2006057326.tif 000012
【図１１】
2006057326.tif 000013
【図１２】
2006057326.tif 000014
【図１３】
2006057326.tif 000015
【図１４】
2006057326.tif 000016